(57)【要約】【課題】ベゼル部材を狭幅化して外観品質を向上させることができる電子機器を提供する。【解決手段】電子機器１０は、ディスプレイ筐体１８と、平板状のディスプレイ１６と、底面部２４ａ上でディスプレイ１６の一縁部に隣接して配置され、ディスプレイ１６に電気的に接続されてディスプレイ１６の表示を制御する制御基板２８と、ディスプレイ１６の一縁部に隣接して配置され、ディスプレイ筐体１８に対して回動可能に連結されるヒンジ装置２０と、底面部２４ａ上で少なくとも一部がディスプレイ１６と干渉し、一端部が制御基板２８と電気的に接続されるフレキシブル基板３０と、ヒンジ装置２０の内部に通され、フレキシブル基板３０の他端部と電気的に接続されるケーブル３２と、を備える。【選択図】図２
2020135744.tif 000002
【特許請求の範囲】
【請求項１】
電子機器であって、
少なくとも底面部及び側壁部で囲まれる収容空間を有する第１筐体と、
前記収容空間に収容される平板状のディスプレイと、
前記底面部上で前記ディスプレイの一縁部に隣接して配置され、前記ディスプレイに電気的に接続されて前記ディスプレイの表示を制御する制御基板と、
前記ディスプレイの前記一縁部に隣接して配置され、前記第１筐体に対して回動可能に連結されるヒンジ装置と、
前記底面部上で少なくとも一部が前記ディスプレイと干渉し、一端部が前記制御基板と電気的に接続されるフレキシブル基板と、
前記ヒンジ装置の内部に通され、前記フレキシブル基板の他端部と電気的に接続されるケーブルと、
を備えることを特徴とする電子機器。
【請求項２】
請求項１に記載の電子機器であって、
前記制御基板は、基板側コネクタを有し、
前記ケーブルは、ケーブル側コネクタを有し、
前記フレキシブル基板は、前記基板側コネクタに接続される第１コネクタと、前記ケーブル側コネクタに接続される第２コネクタと、を有し、
前記基板側コネクタ、前記ケーブル側コネクタ、前記第１コネクタ、及び前記第２コネクタは、扁平形状を有し、その幅方向の長手方向が前記ディスプレイの一縁部に沿って配置されていることを特徴とする電子機器。
【請求項３】
請求項２に記載の電子機器であって、
前記ヒンジ装置を介して前記第１筐体に対して回動可能に接続され、内部に前記ケーブルと電気的に接続される電気部品を有する第２筐体をさらに備え、
前記ヒンジ装置は、前記第１筐体と固定されたヒンジ筐体と、該ヒンジ筐体と前記第２筐体との間を相対回転可能に連結したヒンジ軸と、を有し、
前記第２コネクタは、前記ディスプレイの一縁部に直交する方向で前記ヒンジ筐体と重なる位置に配置されていることを特徴とする電子機器。
【請求項４】
請求項３に記載の電子機器であって、
前記ヒンジ筐体は、前記第１筐体の内面から突出したヒンジ基部と、該ヒンジ基部の側部に並んで設けられたキャップ部と、を有し、
前記ヒンジ軸は、前記ヒンジ基部に支持され、
前記ケーブル側コネクタ及び前記第２コネクタは、前記ディスプレイの一縁部に直交する方向で前記キャップ部と重なる位置に配置され、
前記ケーブルは、前記キャップ部内に通されていることを特徴とする電子機器。
【請求項５】
請求項４に記載の電子機器であって、
前記ヒンジ基部は、前記第１筐体と一体に形成され、
前記キャップ部は、前記第１筐体又は前記ヒンジ基部に対して着脱可能に取り付けられていることを特徴とする電子機器。
【請求項６】
電子機器であって、
少なくとも底面部及び側壁部で囲まれる収容空間を有する第１筐体と、
前記収容空間に収容される平板状のディスプレイと、
前記底面部上で前記ディスプレイの一縁部に隣接して配置され、前記ディスプレイに電気的に接続されて前記ディスプレイの表示を制御する制御基板と、
前記ディスプレイの前記一縁部に隣接して配置され、前記第１筐体に対して回動可能に連結されるヒンジ装置と、
前記ヒンジ装置の内部に通され、前記制御基板と電気的に接続されるケーブルと、
を備え、
前記制御基板は、前記ディスプレイの前記一縁部に直交する方向で前記ヒンジ装置と重なる位置まで延出され、
前記ディスプレイの前記一縁部に直交する方向で前記ヒンジ装置と重なる位置に、前記制御基板と前記ケーブルとの接続部が配置されていることを特徴とする電子機器。
【請求項７】
請求項６に記載の電子機器であって、
前記ヒンジ装置を介して前記第１筐体に対して回動可能に接続され、内部に前記ケーブルと電気的に接続される電気部品を有する第２筐体をさらに備え、
前記ヒンジ装置は、前記第１筐体の内面から突出したヒンジ基部と、該ヒンジ基部の側部に並んで設けられたキャップ部と、前記ヒンジ基部と前記第２筐体との間を相対回転可能に連結したヒンジ軸と、を有し、
前記接続部は、前記ディスプレイの一縁部に直交する方向で前記キャップ部と重なる位置に配置されていることを特徴とする電子機器。
【発明の詳細な説明】
【技術分野】
【０００１】
本発明は、ヒンジ装置で連結された筐体間が電気的に接続された電子機器に関する。
【背景技術】
【０００２】
ノートブック型パーソナルコンピュータ（ノート型ＰＣ）のような電子機器は、ヒンジ装置によって本体筐体とディスプレイ筐体とを回動可能に連結した構成となっている。ディスプレイ筐体は、ディスプレイと、ディスプレイの背面を覆う筐体部材と、ディスプレイの表示面の周囲に配置されたベゼル部材とを有する。通常、ディスプレイ筐体内では、ディスプレイの下縁部に配置されたベゼル部材（下ベゼル）で覆われた部分に各種の電子基板やケーブルが配設されている（例えば特許文献１参照）。
【先行技術文献】
【特許文献】
【０００３】
【特許文献１】特開２０１６−１４３３５７号公報
【発明の概要】
【発明が解決しようとする課題】
【０００４】
上記特許文献１の構成では、基板にコネクタ接続されたケーブルが下ベゼルの裏側で長尺に設けられると共に、適宜曲げられつつ本体筐体へと延びている。このため、ディスプレイ筐体は、下ベゼルの裏側にケーブル取り回し用のスペースを大きく確保する必要がある。その結果、このような構成では、ベゼル部材を狭幅化できず、外観品質を低下させている。
【０００５】
本発明は、上記従来技術の課題を考慮してなされたものであり、ベゼル部材を狭幅化して外観品質を向上させることができる電子機器を提供することを目的とする。
【課題を解決するための手段】
【０００６】
本発明の第１態様に係る電子機器は、電子機器であって、少なくとも底面部及び側壁部で囲まれる収容空間を有する第１筐体と、前記収容空間に収容される平板状のディスプレイと、前記底面部上で前記ディスプレイの一縁部に隣接して配置され、前記ディスプレイに電気的に接続されて前記ディスプレイの表示を制御する制御基板と、前記ディスプレイの前記一縁部に隣接して配置され、前記第１筐体に対して回動可能に連結されるヒンジ装置と、前記底面部上で少なくとも一部が前記ディスプレイと干渉し、一端部が前記制御基板と電気的に接続されるフレキシブル基板と、前記ヒンジ装置の内部に通され、前記フレキシブル基板の他端部と電気的に接続されるケーブルと、を備える。
【０００７】
このような構成によれば、ケーブルよりも薄く形成できるフレキシブル基板によって制御基板とケーブルとの間を接続すると共に、このフレキシブル基板を容易にディスプレイと干渉する位置に通すことができる。つまり当該電子機器では、フレキシブル基板をディスプレイ側部に形成されるスペースで折り曲げつつ取り回す必要がない。さらにケーブルについても、このスペースでフレキシブル基板に接続されればよく、このスペースで折り曲げつつ取り回す必要がないため、その占有スペースを最小限に抑えることができる。その結果、当該電子機器は、ディスプレイ側部のスペースの幅、つまりこのスペースを覆うベゼル部材の幅を可及的に低減でき、外観品質を向上させることができる。
【０００８】
前記制御基板は、基板側コネクタを有し、前記ケーブルは、ケーブル側コネクタを有し、前記フレキシブル基板は、前記基板側コネクタに接続される第１コネクタと、前記ケーブル側コネクタに接続される第２コネクタと、を有し、前記基板側コネクタ、前記ケーブル側コネクタ、前記第１コネクタ、及び前記第２コネクタは、扁平形状を有し、その幅方向の長手方向が前記ディスプレイの一縁部に沿って配置された構成としてもよい。そうすると、ディスプレイを囲むベゼル部材の幅方向での各コネクタの寸法を最小限に抑えることができる。このためベゼル部材を一層狭幅に構成できる。
【０００９】
前記ヒンジ装置を介して前記第１筐体に対して回動可能に接続され、内部に前記ケーブルと電気的に接続される電気部品を有する第２筐体をさらに備え、前記ヒンジ装置は、前記第１筐体と固定されたヒンジ筐体と、該ヒンジ筐体と前記第２筐体との間を相対回転可能に連結したヒンジ軸と、を有し、前記第２コネクタは、前記ディスプレイの一縁部に直交する方向で前記ヒンジ筐体と重なる位置に配置された構成としてもよい。そうすると、フレキシブル基板の第２コネクタに対して、ヒンジ筐体を通過したケーブルのケーブル側コネクタを真っ直ぐに接続できる。その結果、ケーブルがベゼル部材の幅に影響を及ぼすことを一層抑制できる。
【００１０】
前記ヒンジ筐体は、前記第１筐体の内面から突出したヒンジ基部と、該ヒンジ基部の側部に並んで設けられたキャップ部と、を有し、前記ヒンジ軸は、前記ヒンジ基部に支持され、前記ケーブル側コネクタ及び前記第２コネクタは、前記ディスプレイの一縁部に直交する方向で前記キャップ部と重なる位置に配置され、前記ケーブルは、前記キャップ部内に通された構成としてもよい。そうすると、筐体部材と固定され、さらにヒンジ軸を支持するヒンジ基部にケーブル取り回し用のスペースを設ける必要がない。その結果、ヒンジ基部の幅が拡大し、ベゼル部材の狭幅化の障害となることを回避できる。
【００１１】
前記ヒンジ基部は、前記第１筐体と一体に形成され、前記キャップ部は、前記第１筐体又は前記ヒンジ基部に対して着脱可能に取り付けられた構成としてもよい。そうすると、ヒンジ基部を筐体部材に取り付けるためのねじや取付板が不要となるため、ヒンジ装置を一層小型化できる。また、キャップ部が着脱可能であるため、メンテナンス性が損なわれることもない。
【００１２】
本発明の第２態様に係る電子機器は、電子機器であって、少なくとも底面部及び側壁部で囲まれる収容空間を有する第１筐体と、前記収容空間に収容される平板状のディスプレイと、前記底面部上で前記ディスプレイの一縁部に隣接して配置され、前記ディスプレイに電気的に接続されて前記ディスプレイの表示を制御する制御基板と、前記ディスプレイの前記一縁部に隣接して配置され、前記第１筐体に対して回動可能に連結されるヒンジ装置と、前記ヒンジ装置の内部に通され、前記制御基板と電気的に接続されるケーブルと、を備え、前記制御基板は、前記ディスプレイの前記一縁部に直交する方向で前記ヒンジ装置と重なる位置まで延出され、前記ディスプレイの前記一縁部に直交する方向で前記ヒンジ装置と重なる位置に、前記制御基板と前記ケーブルとの接続部が配置されている。
【００１３】
このような構成によれば、制御基板の延出部に対してヒンジ装置を通したケーブルを曲げることなく真っ直ぐに接続できる。これによりケーブルは、ディスプレイ側部に形成されるスペースで折り曲げつつ取り回す必要がない。その結果、このスペースでのケーブルの占有スペースを最小限に抑えることができる。従って、当該電子機器は、このスペースを覆うベゼル部材の狭幅化が可能となり、外観品質を向上させることができる。
【００１４】
前記ヒンジ装置を介して前記第１筐体に対して回動可能に接続され、内部に前記ケーブルと電気的に接続される電気部品を有する第２筐体をさらに備え、前記ヒンジ装置は、前記第１筐体の内面から突出したヒンジ基部と、該ヒンジ基部の側部に並んで設けられたキャップ部と、前記ヒンジ基部と前記第２筐体との間を相対回転可能に連結したヒンジ軸と、を有し、前記接続部は、前記ディスプレイの一縁部に直交する方向で前記キャップ部と重なる位置に配置された構成としてもよい。
【発明の効果】
【００１５】
本発明の上記態様によれば、ベゼル部材を狭幅化して外観品質を向上させることができる。
【図面の簡単な説明】
【００１６】
【図１】図１は、一実施形態に係る電子機器の平面図である。
【図２】図２は、ディスプレイ筐体の内部構造を模式的に示した要部拡大斜視図である。
【図３】図３は、図２に示すディスプレイ筐体の正面図である。
【図４】図４は、図３中のＩＶ−ＩＶ線に沿う模式的な断面図である。
【図５】図５は、変形例に係るディスプレイ筐体の内部構造を模式的に示した要部拡大正面図である。
【発明を実施するための形態】
【００１７】
以下、本発明に係る電子機器について好適な実施の形態を挙げ、添付の図面を参照しながら詳細に説明する。
【００１８】
図１は、一実施形態に係る電子機器１０の平面図である。本実施形態では、電子機器１０としいてノート型ＰＣを例示する。電子機器１０は、タブレット型ＰＣやスマートフォン等、少なくとも２つの筐体間を回動可能に連結した構成であればよい。
【００１９】
図１に示すように、電子機器１０は、キーボード装置１２を有する本体筐体１４と、ディスプレイ１６を有するディスプレイ筐体１８とを備える。ディスプレイ筐体１８は、本体筐体１４の後端部に対して左右一対のヒンジ装置２０，２０を介して回動可能に連結されている。図１は、ヒンジ装置２０によってディスプレイ筐体１８を本体筐体１４から開いて使用形態とした電子機器１０を上から見下ろした状態を示している。
【００２０】
以下、ディスプレイ筐体１８について、本体筐体１４から９０度開いて鉛直方向に沿って起立させた状態でディスプレイ１６を正面から視認する方向を基準とし、厚み方向で正面側を前、背面側を後と呼び、幅方向を左右と呼び、高さ方向を上下と呼んで説明する。
【００２１】
本体筐体１４は、その表面にキーボード装置１２が設けられた薄い箱体である。本体筐体１４の内部には、各種の電気部品、バッテリ装置、冷却装置等が収納されている。電気部品としては、例えばマザーボード等の基板２２やこれに実装されるＣＰＵ（central  processing  unit）やＧＰＵ（Graphics  Processing  Unit）等がある。
【００２２】
ディスプレイ筐体１８は、本体筐体１４よりも薄い箱体であり、その前面に液晶ディスプレイ等のディスプレイ１６が設けられている。ディスプレイ筐体１８は、ディスプレイ１６の背面側を覆う筐体部材２４と、ディスプレイ１６の前面（表示面１６ａ）の周囲を囲むベゼル部材２６とを有する。
【００２３】
筐体部材２４は、例えばディスプレイ１６の背面を覆う底面部２４ａと、底面部２４ａの四周縁部から前側に向かって起立し、ディスプレイ１６の四周側面を覆う側壁部２４ｂとを有する。ベゼル部材２６は、ディスプレイ１６の周囲を囲む枠状部材である。ベゼル部材２６は、ディスプレイ１６の上下左右の縁部をそれぞれ覆う上ベゼル２６ａ、下ベゼル２６ｂ及び側ベゼル２６ｃ，２６ｃで構成されている。ディスプレイ筐体１８は、これら底面部２４ａ及び側壁部２４ｂで囲まれる収容空間に平板状のディスプレイ１６を収容し、ディスプレイ１６の周囲をベゼル部材２６で囲んだ構造である。
【００２４】
次に、ディスプレイ筐体１８の内部構造を説明する。図２は、ディスプレイ筐体１８の内部構造を模式的に示した要部拡大斜視図である。図３は、図２に示すディスプレイ筐体１８の正面図である。図４は、図３中のＩＶ−ＩＶ線に沿う模式的な断面図である。
【００２５】
図２〜図４に示すように、ディスプレイ筐体１８は、ディスプレイ１６の下縁部１６ｂの下側に収納部Ｓを有する。収納部Ｓは、その前面開口が下ベゼル２６ｂで覆われた空間である。つまり収納部Ｓは、上記したディスプレイ筐体１８の収容空間におけるディスプレイ１６の下縁部１６ｂに隣接したスペースである。収納部Ｓには、ヒンジ装置２０と、制御基板２８と、フレキシブル基板３０と、ケーブル３２とが配設されている。
【００２６】
図２〜図４に示すように、ヒンジ装置２０は、ディスプレイ筐体１８及び本体筐体１４に対して相対的に回動可能に連結されることで、本体筐体１４の後端部とディスプレイ筐体１８の下端部とを回動可能に連結している。ヒンジ装置２０は、ヒンジ筐体３４と、ヒンジ軸３６とを有する。
【００２７】
ヒンジ筐体３４は、筐体部材２４と固定され、ヒンジ軸３６を相対回転可能に支持する部分である。ヒンジ筐体３４は、筐体部材２４の底面部２４ａの内面から前方に突出したブロック状のヒンジ基部３８と、ヒンジ基部３８の側部に並んで設けられるキャップ部３９とを有する。本実施形態のヒンジ基部３８は、筐体部材２４と一体に形成されている。
【００２８】
ヒンジ基部３８は、キャップ部３９側とは反対側の側面でヒンジ軸３６を相対回転可能に支持している。キャップ部３９は、内側にケーブル３２が通される空間が形成された有底矩形筒状のカバーキャップである。キャップ部３９は、上下前後方向に沿った平面で切断した際の断面の外形がヒンジ基部３８と略同一形状に形成されている。キャップ部３９は、一側部から突出した取付片３９ａを有する。取付片３９ａには、取付ねじ４１が挿通される貫通孔が形成されている。取付ねじ４１は、側壁部２４ｂに配置されたボスのねじ穴４０に螺合される。キャップ部３９は、取付ねじ４１を用いて筐体部材２４に対して着脱可能に締結される。
【００２９】
ヒンジ軸３６は、一端がヒンジ基部３８と回転不能に連結され、他端に本体取付片４２が回転可能に連結されている。さらにヒンジ軸３６の他端には、ヒンジ軸３６と本体取付片４２との間に所定の回転トルクを付与するトルク発生器４３が設けられている。ヒンジ軸３６は、一端がヒンジ基部３８と回転可能に連結され、他端に本体取付片４２が回転不能に連結されてもよく、この場合、トルク発生器４３はヒンジ軸３６とヒンジ基部３８との間に回転トルクを付与可能に構成されればよい。
【００３０】
図１に示すように、ヒンジ装置２０は、ヒンジ筐体３４が本体筐体１４の後端部に形成された凹状部１４ａに回動可能に収納される。そして、ヒンジ軸３６が凹状部１４ａの側壁面を通して本体筐体１４内に突出し、本体取付片４２に連結された図示しない取付板が本体筐体１４と固定される。
【００３１】
図２〜図４に示すように、制御基板２８は、ディスプレイ１６の表示を制御する電子基板である。制御基板２８は、ディスプレイ１６の下縁部１６ｂに隣接して配置され、ディスプレイ１６と電気的に接続されたプリント基板（ＰＣＢ）である。制御基板２８は、例えば図示しないフレキシブル基板や所定の配線を介してディスプレイ１６と電気的に接続される。制御基板２８の左右方向幅は、例えばディスプレイ１６の左右方向幅の半分以下であり、上下方向幅は、収納部Ｓの上下方向の幅Ｗよりも小さい。下ベゼル２６ｂの上下方向の幅は、収納部Ｓの幅Ｗと略同一である。制御基板２８は、前面の一端部にコネクタ２８ａを有する。コネクタ２８ａは、その幅方向の長手方向がディスプレイ１６の下縁部１６ｂの延在方向（左右方向）に沿って配置されている。
【００３２】
フレキシブル基板３０は、制御基板２８とケーブル３２との間を接続する中継線である。フレキシブル基板３０は、薄いフィルム状に形成された可撓性を有するプリント基板（ＦＰＣ）である。フレキシブル基板３０は、一端部に第１コネクタ３０ａを有し、他端部に第２コネクタ３０ｂとを有する。第１コネクタ３０ａ及び第２コネクタ３０ｂは、その幅方向の長手方向がディスプレイ１６の下縁部１６ｂの延在方向（左右方向）に沿って配置される。第１コネクタ３０ａは、制御基板２８のコネクタ２８ａに接続される。第２コネクタ３０ｂは、後述するケーブル３２のコネクタ３２ａに接続される。
【００３３】
第１コネクタ３０ａは、コネクタ２８ａに対して上から下に向かって配策される。第２コネクタ３０ｂは、コネクタ３２ａに対して上から下に向かって配策される。これらコネクタ２８ａ，３０ａ，３０ｂ，３２ａは、例えば厚み方向で裏側に向かって接続される構造のコネクタ、いわゆるボードｔｏボードコネクタである。フレキシブル基板３０は、各コネクタ３０ａ，３０ｂ間を接続する配線部３０ｃが正面視で下向き略Ｕ字状に形成され、ディスプレイ１６と干渉するようにその裏面１６ｃ側に通されている。つまりフレキシブル基板３０は、コネクタ３０ａ，３０ｂが収納部Ｓに配置され、その間を繋ぐ配線部３０ｃがディスプレイ１６の裏面１６ｃと底面部２４ａの内面との間に設けられている。フレキシブル基板３０は、その全長がディスプレイ１６と干渉する位置に配置されてもよい。
【００３４】
このように、フレキシブル基板３０は、各コネクタ３０ａ，３０ｂの幅方向の長手方向がディスプレイ１６の下縁部１６ｂに沿って配置される。これによりコネクタ３０ａ，３０ｂは、収納部Ｓの幅Ｗに対する影響が最小限となり、幅Ｗの狭幅化に貢献している。しかもフレキシブル基板３０は、コネクタ３０ａ，３０ｂ間を接続する配線部３０ｃをディスプレイ１６の裏面１６ｃ側に通したことで、幅Ｗが最小化された収納部Ｓ内で配線部３０ｃを無理に折り曲げて配策する必要がない。このため、配線部３０ｃが断線等の不良を生じることを抑制できる。
【００３５】
ケーブル３２は、ディスプレイ筐体１８の制御基板２８と本体筐体１４の電気部品（例えば基板２２）との間を電気的に接続する電線である。ケーブル３２は、例えば１又は複数の金属線の周囲を樹脂製の絶縁被覆層で覆った構成である。本実施形態のケーブル３２は、フレキシブル基板３０と基板２２との間を接続している。ケーブル３２は、ヒンジ筐体３４のキャップ部３９内に通されている。具体的には、ケーブル３２は、一端に設けられたコネクタ３２ａがキャップ部３９に重ねて配置され（図４参照）、このコネクタ３２ａから延びた矩形扁平線３２ｂがキャップ部３９内で断面円形の丸線３２ｃに集約され、丸線３２ｃがキャップ部３９から出て本体筐体１４内へと配策されている。なお、ケーブル３２のコネクタ３２ａは、制御基板２８のコネクタ２８ａと左右方向で並ぶように設けられているため（図３参照）、制御基板２８とケーブル３２の間にフレキシブル基板３０を設けた構成としつつも、幅Ｗの拡大が抑制されている。
【００３６】
以上のように、本実施形態の電子機器１０は、ディスプレイ筐体１８内でディスプレイ１６の下縁部１６ｂに隣接して配置された制御基板２８と、底面部２４ａ上で少なくとも一部がディスプレイ１６と干渉し、一端部が制御基板２８と電気的に接続されるフレキシブル基板３０と、ヒンジ装置２０の内部に通され、フレキシブル基板３０の他端部と電気的に接続されるケーブル３２とを備える。
【００３７】
従って、フレキシブル基板３０は、電線であるケーブル３２よりも薄く形成できるため、容易にディスプレイ１６と干渉する位置、本実施形態ではディスプレイ１６の裏面１６ｃ側に通すことができる。このため当該電子機器１０は、収納部Ｓでフレキシブル基板３０を折り曲げつつ取り回す必要がない。さらにケーブル３２についても、収納部Ｓでフレキシブル基板３０に接続されればよく、収納部Ｓ内で折り曲げつつ取り回す必要がないため、ケーブル３２の収納部Ｓでの占有スペースを最小限に抑えることができる。その結果、収納部Ｓの幅Ｗ、つまり下ベゼル２６ｂの幅を可及的に狭幅化でき、外観品質を向上させることができる。
【００３８】
ここで、当該電子機器１０は、ヒンジ装置２０にはケーブル３２のみが通され、フレキシブル基板３０は通されていない。すなわち、仮にフレキシブル基板３０がヒンジ装置２０（ヒンジ筐体３４）に通された構成を考える。この構成の場合、フレキシブル基板３０は扁平幅広な基板であるため、ケーブル３２に比べて捻じりや折曲に弱い。このため、このような構成では、ヒンジ装置２０の回動範囲がフレキシブル基板３０によって制限される。例えばディスプレイ筐体１８は、本体筐体１４に対して１５０度程度までしか回動できない構造となる。この点、当該電子機器１０は、フレキシブル基板３０を利用しつつも、ヒンジ装置２０には電線であるケーブル３２のみを通している。このため、ヒンジ装置２０の回動範囲を容易に拡大でき、例えばディスプレイ筐体１８を本体筐体１４に対して１８０度まで回動させることができる。特に、当該電子機器１０では、図４に示すように、ケーブル３２の丸線３２ｃをキャップ部３９の奥側（前側）に通しており、これにより丸線３２ｃがヒンジ軸３６の軸中心の延長線と重なる位置に配置される（図２及び図４参照）。その結果、ケーブル３２がヒンジ装置２０の回動を邪魔することを一層確実に防止でき、ディスプレイ筐体１８の本体筐体１４に対する１８０度回動構造を一層容易に実現できる。
【００３９】
当該電子機器１０は、矩形扁平形状の各コネクタ２８ａ，３０ａ，３０ｂ，３２ａの幅方向の長手方向がいずれもディスプレイ１６の下縁部１６ｂに沿った左右方向に配置されている。このため、これらコネクタ２８ａ等が下ベゼル２６ｂの上下方向の幅に影響することを抑制できる。しかもフレキシブル基板３０がディスプレイ１６の裏面１６ｃ側に通されることで、コネクタ２８ａ，３０ａ間、及びコネクタ３０ｂ，３２ａ間を円滑に接続しつつ、幅Ｗが拡大することを抑制できる。
【００４０】
当該電子機器１０では、フレキシブル基板３０の第２コネクタ３０ｂがディスプレイ１６の下縁部１６ｂに直交する上下方向を基準としてヒンジ筐体３４（キャップ部３９）と重なる位置に配置されている。このため、第２コネクタ３０ｂに対して、ヒンジ筐体３４内を通されたケーブル３２のコネクタ３２ａを真っ直ぐに接続できる。その結果、ケーブル３２が下ベゼル２６ｂの上下方向の幅に影響を及ぼすことを一層抑制できる。第２コネクタ３０ｂは、ヒンジ筐体３４（キャップ部３９）内に配置されてもよい。
【００４１】
特に、当該電子機器１０では、ヒンジ筐体３４がヒンジ基部３８とキャップ部３９とを有し、ケーブル３２はキャップ部３９に通されている。そして、フレキシブル基板３０の第２コネクタ３０ｂは、上下方向を基準としてキャップ部３９と重なる位置に配置されている。これにより筐体部材２４に固定され、さらにヒンジ軸３６を支持するヒンジ基部３８にケーブル３２の挿通用スペースを設ける必要がない。その結果、ヒンジ基部３８の上下方向の幅が拡大し、下ベゼル２６ｂの狭幅化の障害となることを回避できる。キャップ部３９は、着脱可能であるため、メンテナンス性も確保できる。
【００４２】
当該電子機器１０のヒンジ装置２０は、ディスプレイ筐体１８に対する取付部であるヒンジ基部３８が筐体部材２４と一体形成されている。このため、収納部Ｓ内にヒンジ装置２０の取付用のねじや取付板を設ける必要がなく、下ベゼル２６ｂの幅を一層低減できる。ヒンジ基部３８は、図示しないねじや取付板を用いて筐体部材２４に固定されてもよい。キャップ部３９は、筐体部材２４ではなく、ヒンジ基部３８に対して着脱される構成としてもよい。
【００４３】
図５は、変形例に係るディスプレイ筐体１８Ａの内部構造を模式的に示した要部拡大正面図である。図５に示すディスプレイ筐体１８Ａは、図３に示すディスプレイ筐体１８と比べて、フレキシブル基板３０を用いていない点が相違する。このディスプレイ筐体１８Ａの制御基板２８は、ヒンジ装置２０側に延出された延出部２８ｂを有する。延出部２８ｂの表面には、コネクタ４６が設けられている。コネクタ４６には、ケーブル３２のコネクタ３２ａが下から上に向かって配策され、厚み方向で裏側に向かって接続される。延出部２８ｂは、ディスプレイ１６の下縁部１６ｂに直交する上下方向を基準としてヒンジ筐体３４（キャップ部３９）と重なる位置まで延出されている。つまり制御基板２８のコネクタ４６とケーブル３２のコネクタ３２ａとの接続部も上下方向でヒンジ装置２０と重なる位置に配置されている。
【００４４】
従って、当該ディスプレイ筐体１８Ａを備えた電子機器１０においても、制御基板２８のコネクタ４６に対して、ヒンジ筐体３４内を通されたケーブル３２のコネクタ３２ａを真っ直ぐに接続できる。その結果、当該ディスプレイ筐体１８Ａにおいても、ケーブル３２が下ベゼル２６ｂの幅に影響を及ぼすことを抑制でき、外観品質を向上させることができる。また、上記したディスプレイ筐体１８の場合と同様に、このディスプレイ筐体１８Ａにおいても、ケーブル３２はキャップ部３９に通されている。このため、ヒンジ基部３８の上下方向の幅が拡大し、下ベゼル２６ｂの狭幅化の障害となることを回避できる。
【００４５】
なお、本発明は、上記した実施形態に限定されるものではなく、本発明の主旨を逸脱しない範囲で自由に変更できることは勿論である。
【００４６】
上記では、一方のヒンジ装置２０のみにケーブル３２を通した構成を例示したが、他方のヒンジ装置２０に対してもケーブル３２や別のケーブル（例えばディスプレイ１６がタッチパネル式である場合に、このタッチパネル用のケーブル）を通した構成としてもよい。
【符号の説明】
【００４７】
１０  電子機器
１４  本体筐体
１６  ディスプレイ
１８，１８Ａ  ディスプレイ筐体
２０  ヒンジ装置
２２  基板
２４  筐体部材
２６  ベゼル部材
２６ｂ  下ベゼル
２８  制御基板
２８ａ，３２ａ，４６  コネクタ
２８ｂ  延出部
３０  フレキシブル基板
３０ａ  第１コネクタ
３０ｂ  第２コネクタ
３２  ケーブル
３４  ヒンジ筐体
３６  ヒンジ軸
３８  ヒンジ基部
３９  キャップ部
【図１】
2020135744.tif 000003
【図２】
2020135744.tif 000004
【図３】
2020135744.tif 000005
【図４】
2020135744.tif 000006
【図５】
2020135744.tif 000007